(57)【要約】【課題】耐久性に優れ、安全性の高いオイルヒータを提供する。【解決手段】上部管２３、下部管２４及びそれらを連通する複数の連通パイプ２５、２５・・からなり、かつ、内部にオイルが封入された管体２２を備えたオイルヒータ１において、前記管体２２内のオイルを加熱するための電磁誘導加熱手段２７を設け、前記管体２２の少なくとも下部管２４は、電気抵抗で発熱する材質を用いて作られ、前記連通パイプ２５、２５・・に放熱フィン２６を設けた。【選択図】　　　図１
2004053213.tif 000002
【特許請求の範囲】
【請求項１】
上部管、下部管及びそれらを連通する複数の連通パイプからなり、かつ、内部にオイルが封入された管体を備えたオイルヒータにおいて、
前記管体内のオイルを加熱するための電磁誘導加熱手段を設けたことを特徴とするオイルヒータ。
【請求項２】
前記管体の少なくとも下部管は、電気抵抗で発熱する材質を用いて作られていることを特徴とする請求項１に記載のオイルヒータ。
【請求項３】
前記連通パイプに放熱フィンを設けたことを特徴とする請求項１または２に記載のオイルヒータ。
【請求項４】
前記放熱フィンに送風する送風ファンを設け、この送風ファンにより室内へ温風を吹き出すようにしたことを特徴とする請求項１〜３に記載のオイルヒータ。
【請求項５】
前記送風ファンにより電磁誘導加熱手段の磁力発生コイルを冷却することを特徴とする請求項４に記載のオイルヒータ。
【発明の詳細な説明】
【０００１】
【発明の属する技術分野】
本発明は室内を暖房するためのオイルヒータに関する。
【０００２】
【従来の技術】
近年、部屋の空気を汚さずに、部屋をまんべんなく暖めることができるオイルヒータが注目されている。また、オイルヒータは、発熱部である電気ヒータが密封されているので表面が熱くならず安全性の面からも注目されている。
【０００３】
オイルヒータは、密封された板状放熱器（放熱板）内に、熱媒体としてオイルを入れて該放熱板下部に組み込まれた電気ヒータで加熱循環させることにより、放熱板から熱を放出させて空気の自然対流で部屋全体を暖房するというものである。
【０００４】
従来のオイルヒータには、例えば公開特許公報の特開平１１−３７４８６号に記載されているものがある。このオイルヒータは、オイルのたまり部が上下にあり、これら上下のたまり部を複数の連通パイプでつなぐとともに、これら連通パイプに放熱フィンを設けている。前記下部のたまり部には電気ヒータが内蔵され、この電気ヒータに接続された電源コードが下部のたまり部から延出されている。放熱フィンの後方には放熱フィンに送風する送風ファンが設けられている。
【０００５】
このように構成されたオイルヒータが運転されると、前記電気ヒータにより下部のたまり部内のオイルが暖められ、前記放熱フィンを通って上部のたまり部へ移動するようにしてオイルが循環し放熱フィンを暖める。放熱フィンが暖められることにより、放熱フィンの周囲の空気が暖められ、暖められた空気が送風ファンにより室内に吹き出され部屋全体が暖められる。
【０００６】
【発明が解決しようとする課題】
ところで、前記オイルヒータは、オイルを加熱するための電気ヒータをたまり部内に内蔵しているため、長期間の使用による電気ヒータのオイルとの絶縁性、あるいはたまり部における電源コード取出口のシールの耐久性等が検討されており、また万が一のヒータの加熱による火災の危険性が課題になっていた。
【０００７】
そのため、耐久性に優れ安全性の高いオイルヒータを設計することが求められていた。
【０００８】
本発明はこのような事情に鑑みてなされたものであり、耐久性に優れ安全性の高いオイルヒータを提供することを目的とする。
【０００９】
【課題を解決するための手段】
上記目的を達成するために、請求項１に記載の発明は、上部管、下部管及びそれらを連通する複数の連通パイプからなり、かつ、内部にオイルが封入された管体を備えたオイルヒータにおいて、前記管体内のオイルを加熱するための電磁誘導加熱手段を設けたことを特徴とする。
【００１０】
請求項２に記載の発明は、請求項１に記載のオイルヒータにおいて、前記管体の少なくとも下部管は、電気抵抗で発熱する材質を用いて作られていることを特徴とする。
【００１１】
請求項３に記載の発明は、請求項１または２に記載のオイルヒータにおいて、前記連通パイプに放熱フィンを設けたことを特徴とする。
【００１２】
請求項４に記載の発明は、請求項１〜３に記載のオイルヒータにおいて、前記放熱フィンに送風する送風ファンを設け、この送風ファンにより室内へ温風を吹き出すようにしたことを特徴とする。
【００１３】
請求項５に記載の発明は、請求項４に記載のオイルヒータにおいて、前記送風ファンにより電磁誘導加熱手段の磁力発生コイルを冷却することを特徴とする。
【００１４】
【実施の実施の形態】
以下、本発明の一実施形態を図面に基づいて説明する。
【００１５】
図１は本発明の一実施形態におけるオイルヒータを示す縦断面説明図である。
【００１６】
図１において、オイルヒータ１は、箱体状の本体ケース２を備え、この本体ケース２の前面中央部には、複数の水平案内羽根を備えた横長状の温風吹出グリル（温風吹出口）３が設けられ、背面及び前面下部には、それぞれ着脱自在なフィルタを備えたスリット状の空気吸込口４、５が設けられている。これら温風吹出口３と吸込口４、５とは連通しており、本体ケース２内には背面吸込口４から温風吹出口３へ連通する（実線矢印で示す）通風路６と、前面下部吸込口５から内部背面を通って温風吹出口３へ連通する（実線矢印で示す）通風路７とが形成されている。また背面吸込口４には室温を感知する室温センサ８が設けられ、本体ケース２内に設けられた制御部（図示せず）に接続されている。
【００１７】
そして本体ケース２の天面には、オイルヒータ１を運転するための運転スイッチ１１及び所望の室内温度を設定するための設定温度スイッチ１２等を有する操作部１３が設けられ、こ操作部１３は、前記制御部に接続されている。
【００１８】
前記本体ケース２内部には、下寄りの位置に水平の仕切台１４が設けられ、背面板と隙間を有して前面板及び左右側板にねじ止め固定されている。仕切台１４後部にはＵ字状の切欠き２１が設けられている。
【００１９】
また、本体ケース２内部には、オイルを内蔵する管体２２が設けられている。この管体２２は、上部管２３と、下部管２４と、これら上部管２３及び下部管２４の間をつなぐ複数の連通パイプ２５、２５・・とからなり、これら連通パイプ２５、２５・・に直交するように設けられた複数の放熱フィン２６、２６・・とを有している。そして下部管２４は、電気抵抗で発熱する材質を用いて作られている。前記上部管２３が前記仕切台１４の上方に、下部管２４が仕切台１４の下方に配置され、連通パイプ２５、２５・・が前記仕切台１４の切欠き２１に挿入されて配置される。
【００２０】
前記下部管２４の下方には管体２２を載置するとともに、下部管２４内のオイルを加熱するための電磁誘導加熱器２７が設けられている。この電磁誘導加熱器２７は、箱体状のコイルケース３１とこのコイルケース３１に内蔵された電磁発生コイル３２とを有している。コイルケース３１の４側面には複数の通気孔３３、３３・・が形成され、これら通気孔３３、・・から空気が流出入できるようになっている。そして電磁発生コイル３２は前記制御部に接続されるとともに電源コードを介して家庭用コンセントに差し込まれている。
【００２１】
前記放熱フィン２６の前方には放熱フィン２６に送風するするとともに、吸込口４、５から取り入れた空気を温風吹出口３を通して前方に吹き出すための送風ファン３４が設けられ、取付具を介して仕切台１４に固定されている。
【００２２】
このように構成されたオイルヒータ１において、運転スイッチ１１がオンされると、電磁発生コイル３２及び送風ファン３４に通電される。電磁発生コイル３２は通電されることにより磁力線が発生し、下部管２４にうず電流が起き下部管２４の底面が発熱してオイルが熱せられる。熱せられた下部管２４内のオイルは、連通パイプ２５を通って上部管２３へ上昇し、比較的温度の低い上部管２３のオイルは、連通パイプ２５を通って下部管２４へ下降する。このようにして、管体２２内でオイルの循環（自然対流）が行われ、上部管２３、連通パイプ２５及び放熱フィン２６が暖められる。暖められた連通パイプ２５及び放熱フィン２６に送風ファン３４の風が吹き付けられると、この風が連通パイプ２５の間及び放熱フィン２６の間を通って熱交換し暖められる。そして室内へ温風が吹き出されて暖房される。このとき、送風ファン３４の作動により下部吸込口５から吸い込まれた空気が通気孔３３からコイルケース３１内に流入し電磁発生コイル３２を冷却する。
【００２３】
なお、送風ファン３４は、連通パイプ２５及び放熱フィン２６が所定温度を超えた時点で作動するようにしても良く、こうすることによってオイルヒータ１から冷風が吹き出されるのを防止する。
【００２４】
以上説明したように、本オイルヒータ１は、電磁誘導加熱を用いてオイルを加熱しているので、安全性が高く、従来のようにオイル内に電気ヒータを内蔵していないので、部品の劣化が少なく寿命の長いものとすることができる。
【００２５】
以上一実施形態に基づいて本発明を説明したが、本発明はこれに限定されるものではない。本実施形態では送風ファン３４を、プロペラファンで説明しているが、シロッコファンやクロスフローファン等を用いても良い。また送風ファン３４を本体ケース２の前部に配設しているが、後部に配設するようにしても良い。
【００２６】
【発明の効果】
以上説明したように、本発明に係るオイルヒータは、電磁誘導加熱を用いて管体内のオイルを加熱しているので、耐久性に優れ、且つ、安全性が高いという効果を奏する。
【００２７】
また、管体と電磁誘導加熱手段とが別体に構成されているので、組立性に優れ、組み付け作業や修理交換時の作業を容易にすることができる。
【図面の簡単な説明】
【図１】本発明の一実施形態におけるオイルヒータの縦断面説明図である。
【符号の説明】
１　オイルヒータ
２　本体ケース
３　温風吹出口
４　背面吸込口、
２２　管体
２３　上部管
２４　下部管
２５　連通パイプ
２６　放熱フィン
２７　電磁誘導加熱器（電磁誘導加熱手段）
３２　電磁発生コイル
３３　通気孔
３４　送風ファン
【図１】
2004053213.tif 000003